(57)【要約】【課題】部品点数を削減するとともに組立工数を低減できる鞄を提供すること。【解決手段】前方に開口する箱状の鞄本体２０と、この鞄本体２０に開閉可能に取り付けられ開口を塞ぐ前蓋４０とを備えている鞄１０である。前蓋４０は、起立させた状態で鞄１０の前面のみを構成する。鞄本体２０は、起立させた状態で鞄１０の背面を構成する背壁部２１と、この背壁部２１の下端部から前方に延びる底壁部２２と、背壁部２１の左右端部から前方に延びる左右の側壁部２３、２４と、背壁部２１の上端部から前方に延びる上壁部２５とを備えている。背壁部２１、底壁部２２、左右の側壁部２３、２４及び上壁部２５は、一体成形された樹脂である。【選択図】図１１
0003203972.tif 000002
【実用新案登録請求の範囲】
【請求項１】
前方に開口する箱状の鞄本体と、この鞄本体に開閉可能に取り付けられ前記開口を塞ぐ前蓋とを備えている鞄において、
前記前蓋は、起立させた状態で鞄の前面のみを構成し、
前記鞄本体は、起立させた状態で鞄の背面を構成する背壁部と、この背壁部の下端部から前方に延びる底壁部と、前記背壁部の左右端部から前方に延びる左右の側壁部と、前記背壁部の上端部から前方に延びる上壁部とを備え、
前記背壁部、前記底壁部、左右の前記側壁部及び前記上壁部は、一体成形された樹脂であることを特徴とする鞄。
【請求項２】
前記底壁部にキャスターを取り付けるキャスター取付溝が設けられ、
このキャスター取付溝は、断面Ｔ字状に形成されるとともに一端が前記側面部に開放され、
前記キャスターには、前記キャスター取付溝にスライドさせて嵌合する断面Ｔ字状のスライド嵌合部が設けられていることを特徴とする請求項１記載の鞄。
【請求項３】
前記鞄本体は、引出可能なキャリーバーを備え、
前記上壁部に前記キャリーバーを挿入する挿入穴が設けられ、
前記底壁部の内側に前記キャリーバーの下端部を前記底壁部に固定するキャリーバー固定溝が設けられていることを特徴とする請求項１又は請求項２記載の鞄。
【請求項４】
前記上壁部の左右の縁には、前記縁部を補強するコーナー部材が備えられ、
前記コーナー部材には、前記側壁部に形成された取付穴に係止する爪が設けられていることを特徴とする請求項１〜３のいずれか１項記載の鞄。
【請求項５】
前記鞄本体は、内側に収納物を保護する布製の内装が備えられ、
この内装に表側から裏側へ延びる内装用ベルトが設けられ、前記裏側へ延びる前記内装用ベルトが締結部材で前記鞄本体に締結されていることを特徴とする請求項１〜４のいずれか１項記載の鞄。
【請求項６】
前記前蓋を前記鞄本体にロックするＴＳＡロックが、前記鞄本体に締結部材で締結されていることを特徴とする請求項１〜５のいずれか１項記載の鞄。
【請求項７】
前記底壁部、左右の前記側壁部及び前記上壁部は、それぞれ鞄の前面に延出する底壁延長部、左右の側壁延長部及び上壁延長部を有し、
前記底壁延長部、左右の前記側壁延長部及び前記上壁延長部の縁によって前記開口が形成されていることを特徴とする請求項１〜６のいずれか１項記載の鞄。
【請求項８】
前記前蓋は、前記鞄本体にファスナーを介して開閉されることを特徴とする請求項１〜７のいずれか１項記載の鞄。
【考案の詳細な説明】
【技術分野】
【０００１】
本考案は、スーツケースなどの旅行用の鞄に関し、特に、前方に開口する箱状の鞄本体と、この鞄本体の開口を塞ぐ前蓋とを備えている鞄に関する。
【背景技術】
【０００２】
スーツケースなどの旅行用の鞄において、いわゆるソフトケースタイプと呼ばれる鞄が実用に供されている。このような鞄には、前方に開口する箱状の鞄本体と、この鞄本体の開口を塞ぐ前蓋とを備え、前蓋がファスナーによって開閉可能とされたものが知られている（例えば、特許文献１（図２）参照。）。
【０００３】
特許文献１に開示されている鞄の基本構成について説明する。
特許文献１に示されるように、箱状の鞄は、物品を収納する鞄本体と、この鞄本体にファスナーによって開閉可能に設けられた前蓋とを備えている。鞄本体は、鞄を構成する６面のうち前面を除く５面と前面の一部を構成するとともに前方に開口し、前蓋は、鞄の前面の大部分を構成するとともに開口を塞いでいる。
【０００４】
鞄本体は、底部に設けられたキャスターと、上部に設けられた取っ手と、背部に引出可能に設けられたキャリーバーとを備えている。一般的に、前蓋を開閉するファスナーをロックするには、鞄本体にＴＳＡロック（Transportation Security Administrationの認定を受けた施錠機構）を設け、ファスナーの引き手をＴＳＡロックに掛けてロックする。
【０００５】
ところで、前蓋をファスナーで開閉するファスナータイプの鞄ではソフトスーツケースタイプ、ハードスーツケースタイプを問わず、開口部の強度を保つために別部材の枠やピアノ線等の補強材で開口部を補強する必要がある。さらに、キャスター、キャリーバー及びＴＳＡロック等を取り付ける部分も補強するとともに取付用の部品が必要となり、部品点数及び組立工数が増加する。
【０００６】
そのため、前方に開口する箱状の鞄本体と、この鞄本体の開口を塞ぐ前蓋とを備えた鞄において、部品点数を削減するとともに組立工数を低減できる技術が求められている。
【先行技術文献】
【特許文献】
【０００７】
【特許文献１】特開２０１４−２７９９１号公報
【考案の概要】
【考案が解決しようとする課題】
【０００８】
本考案は、部品点数を削減するとともに組立工数を低減できる鞄を提供することを課題とする。
【課題を解決するための手段】
【０００９】
請求項１に係る考案は、前方に開口する箱状の鞄本体と、この鞄本体に開閉可能に取り付けられ前記開口を塞ぐ前蓋とを備えている鞄において、前記前蓋は、起立させた状態で鞄の前面のみを構成し、前記鞄本体は、起立させた状態で鞄の背面を構成する背壁部と、この背壁部の下端部から前方に延びる底壁部と、前記背壁部の左右端部から前方に延びる左右の側壁部と、前記背壁部の上端部から前方に延びる上壁部とを備え、前記背壁部、前記底壁部、左右の前記側壁部及び前記上壁部は、一体成形された樹脂であることを特徴とする。
【００１０】
請求項２に係る考案は、底壁部にキャスターを取り付けるキャスター取付溝が設けられ、このキャスター取付溝は、断面Ｔ字状に形成されるとともに一端が側面部に開放され、キャスターには、キャスター取付溝にスライドさせて嵌合する断面Ｔ字状のスライド嵌合部が設けられていることを特徴とする。
【００１１】
請求項３に係る考案では、鞄本体は、引出可能なキャリーバーを備え、上壁部にキャリーバーを挿入する挿入穴が設けられ、底壁部の内側にキャリーバーの下端部を底壁部に固定するキャリーバー固定溝が設けられていることを特徴とする。
【００１２】
請求項４に係る考案は、上壁部の左右の縁には、縁部を補強するコーナー部材が備えられ、コーナー部材には、側壁部に形成された取付穴に係止する爪が設けられていることを特徴とする。
【００１３】
請求項５に係る考案では、鞄本体は、内側に収納物を保護する布製の内装が備えられ、この内装に表側から裏側へ延びる内装用ベルトが設けられ、裏側へ延びる内装用ベルトが締結部材で鞄本体に締結されていることを特徴とする。
【００１４】
請求項６に係る考案は、前蓋を鞄本体にロックするＴＳＡロックが、鞄本体に締結部材で締結されていることを特徴とする。
【００１５】
請求項７に係る考案は、底壁部、左右の側壁部及び上壁部は、それぞれ鞄の前面に延出する底壁延長部、左右の側壁延長部及び上壁延長部を有し、底壁延長部、左右の側壁延長部及び上壁延長部の縁によって開口が形成されていることを特徴とする。
【００１６】
請求項８に係る考案は、前蓋は、鞄本体にファスナーを介して開閉されることを特徴とする。
【考案の効果】
【００１７】
請求項１に係る考案では、鞄は、前方に開口する箱状の鞄本体と、この鞄本体に開閉可能に取り付けられ前記開口を塞ぐ前蓋とを備え、前蓋は起立させた状態で鞄の前面のみを構成している。鞄本体の背壁部、底壁部、左右の側壁部及び上壁部は、一体成形された樹脂であるので、前方に開口する箱状の鞄本体であっても、鞄本体単独で開口の剛性を向上でき、従来技術のように開口を補強するための部品が不要となる。このため、前方に開口する箱状の鞄本体と、この鞄本体の開口を塞ぐ前蓋とを備えた鞄であっても、部品点数を削減するとともに組立工数を低減することができる。
【００１８】
請求項２に係る考案では、底壁部にキャスターを取り付けるキャスター取付溝が設けられ、このキャスター取付溝は、断面Ｔ字状に形成されるとともに一端が側面部に開放されている。キャスターには、キャスター取付溝にスライドさせて嵌合する断面Ｔ字状のスライド嵌合部が設けられているので、キャスターを鞄本体の底壁部に簡単に取り付けることができ、組立工数を低減することができる。
【００１９】
さらに、鞄本体は、背壁部、底壁部、左右の側壁部及び上壁部が、射出成形で一体成形された樹脂であるので、底壁部自体が補強された状態となり、底壁部にキャスターを受けるための補強部材を設ける必要がなく、部品点数を削減することがきる。
【００２０】
請求項３に係る考案では、鞄本体は、上壁部にキャリーバーを挿入する挿入穴が設けられ、底壁部の内側にキャリーバーの下端部を底壁部に固定するキャリーバー固定溝が設けられているので、鞄本体にキャリーバーを挿入して締結部材で締結するだけで簡単に組み付けることができる。
【００２１】
請求項４に係る考案では、上壁部の左右の縁には、縁部を補強するコーナー部材が備えられ、コーナー部材には、側壁部に形成された取付穴に係止する爪が設けられているので、コーナー部材を上壁部の縁に差し込む（圧入・嵌め殺し）だけで簡単に組み付けることができる。
【００２２】
請求項５に係る考案では、鞄本体は、内側に収納物を保護する布製の内装が備えられ、この内装に表側から裏側へ延びる内装用ベルトが設けられている。裏側へ延びる内装用ベルトが締結部材で鞄本体に締結されるので、内装を鞄本体の内側に容易に取り付けることができる。
【００２３】
請求項６に係る考案は、前蓋を鞄本体にロックするＴＳＡロックが、鞄本体に締結部材で締結されている。このため、鞄本体の内側から締結部材を挿入し、ＴＳＡロックを容易に締結することができる。
【００２４】
請求項７に係る考案は、底壁部、左右の側壁部及び上壁部は、それぞれ鞄の前面に延出する底壁延長部、左右の側壁延長部及び上壁延長部を有し、底壁延長部、左右の側壁延長部及び上壁延長部の縁によって開口が形成されている。例えば、前シェル、後シェルのようにそれぞれ半分に分かれた鞄に比較して、本考案は鞄本体が鞄の前面の一部を構成するので開口の剛性をより向上させることができる。
【００２５】
請求項８に係る考案は、前蓋は、鞄本体にファスナーを介して開閉される。一般的に、前蓋をファスナーで開閉するファスナータイプの鞄ではソフトスーツケースタイプ、ハードスーツケースタイプを問わず、開口部の強度を保つために別部材の枠やピアノ線等の補強材で開口部を補強する必要があるが、本考案は開口が一体成形された樹脂で構成されるので、補強部材を別途設けることなく開口の剛性を高くでき、ファスナータイプの鞄であっても形状を維持することができる。
【図面の簡単な説明】
【００２６】
【図１】本考案に係る鞄の斜視図である。
【図２】図１に示した鞄の側面図である。
【図３】図１に示した鞄の底面図である。
【図４】キャスター取付部の斜視図である。
【図５】キャスター取付部の作用図である。
【図６】キャスター取付部の鞄本体内側の斜視図である。
【図７】鞄本体の上部内側の斜視図である。
【図８】内装を開いた状態の鞄本体の斜視図である。
【図９】図８の９−９線断面図である。
【図１０】内装用ベルト取付部の作用図である。
【図１１】鞄本体及び前蓋の斜視図である。
【図１２】図１１の１２−１２線断面図である。
【図１３】射出成形工程を説明する図である。
【考案を実施するための形態】
【００２７】
本考案の実施の形態を添付図に基づいて以下に説明する。なお、「前（Ｆｒｏｎｔ）」、「後（Ｒｅａｒ）」、「左（Ｌｅｆｔ）」、「右（Ｒｉｇｈｔ）」、「上（Ｕｐ）」、「下（Ｄｏｗｎ）」は、起立させた状態の鞄を正面から見た方向である。
【実施例】
【００２８】
先ず、本考案の実施例を図面に基づいて説明する。
図１、図２に示されるように、起立させた状態の鞄１０は、前方に開口する鞄本体２０と、この鞄本体２０に布製のヒンジ１１を介して開閉可能に取り付けられ開口を塞ぐ前蓋４０と、鞄本体２０に前蓋４０を閉じた状態に連結するファスナー５１とを備えている。ファスナー５１であれば、簡易な構成とし、前蓋を容易に開閉することができる。
【００２９】
前蓋４０は、鞄１０を起立させた状態で鞄１０の前面のみを構成している。前蓋４０は、鞄１０の容積を拡張するための拡張用ファスナー４１を備えており、拡張用ファスナー４１を開き、内部に折り畳まれた部材を広げることで鞄の容積が拡張される。
【００３０】
鞄本体２０は、起立させた状態で鞄の背面（後面）を構成する背壁部２１と、この背壁部２１の下端部から前方に延びる底壁部２２と、背壁部２１の左右端部から前方に延びる左右の側壁部２３、２４と、背壁部２１の上端部から前方に延びる上壁部２５とを備えている。
【００３１】
鞄本体２０を構成する背壁部２１、底壁部２２、左の側壁部２３、右の側壁部２４及び上壁部２５は、射出成形により一体成形された樹脂である。一般的に、前蓋４０をファスナー５１で開閉するファスナータイプの鞄１０ではソフトスーツケースタイプ、ハードスーツケースタイプを問わず、開口部の強度を保つために別部材の枠やピアノ線等の補強材で開口部を補強する必要があるが、本考案は開口が一体成形された樹脂で構成されるので、補強部材を別途設けることなく開口の剛性を高くでき、ファスナータイプの鞄１０であっても形状を維持することができる。なお、樹脂は、ＰＰ（ポリプロピレン）が好ましいが、ＡＢＳ（アクリロニトリル／ブタジエン／スチレン）、ＰＣ（ポリカーボネート）等、箱状に形成できれば他の樹脂であっても差し支えない。
【００３２】
また、鞄１０は、鞄本体２０の下部に設けられ鞄１０を移動可能に支持するキャスター６１と、鞄本体２０の上部背面側に設けられ引出可能なキャリーバー７１と、鞄本体２０の上部に設けられ把持して鞄１０を持ち上げることができる固定取っ手８１と、ファスナー５１の引き手５２を掛けてロックするＴＳＡロック９１とを備えている。
【００３３】
ファスナー５１を閉じた状態で引き手５２をＴＳＡロック９１に掛けてロックすることで、前蓋４０が鞄本体２０にロックされた状態となる。また、上壁部２５の左右の縁には、縁部を補強するコーナー部材１０１が備えられてる。コーナー部材１０１を備えることで、上壁部２５の左右の縁が補強される。
【００３４】
図３に示されるように、底壁部２２の前方側には、鞄１０の内方に窪む凹部２６が形成されている。凹部２６は鞄１０の左右方向に長く形成されており、容易に手を掛けることができ、この凹部２６と固定取っ手８１に手を掛けることで、鞄１０を倒した状態でも容易に持ち上げることができる。
【００３５】
次にキャスター６１の取付について説明する。
図４、図５に示されるように、底壁部２２には、キャスター６１を取り付けるためのキャスター取付溝２７が設けられている。キャスター取付溝２７は、断面Ｔ字状に形成されるとともに一端が左の側面部２３に開放している。
【００３６】
キャスター６１は、底壁部２２に取り付けられるキャスターベース６２と、このキャスターベース６２に揺動可能に設けられるキャスターヘッド６３と、このキャスターヘッド６３の下部に回転可能に設けられる車輪６４とを備えている。キャスターベース６２には、キャスター取付溝２７にスライドさせて嵌合する断面Ｔ字状のスライド嵌合部６５が設けられている。
【００３７】
図６（ａ）はスライド嵌合部６５を嵌合前の鞄本体２０内側の斜視図であり、底壁部２２にリブ２８が形成され、このリブ２８にキャスター取付溝２７が設けられている。キャスター取付溝２７は基端側が断面Ｔ字状に形成され、先端側は上方に開放するように形成されている。
【００３８】
図６（ｂ）はスライド嵌合部６５を嵌合後の鞄本体２０内側の斜視図であり、キャスター取付溝２７にスライド嵌合部６５が嵌合され、リブ２８の上面２８ａにスライド嵌合部６５が乗せられている。さらに鞄本体２０の内側から締結部材６６を挿入し、この締結部材６６でキャスターベース６２（図５参照）を鞄本体２０に締結する。
【００３９】
このように、スライド嵌合部６５をキャスター取付溝２７にスライドさせて嵌合するだけであるので、キャスター６１を鞄本体２０の底壁部２２に簡単に取り付けることができ、組立工数を低減することができる。
【００４０】
さらに、鞄本体２０は、射出成形で一体成形された樹脂であるので、底壁部２２自体が補強された状態となり、底壁部２２にキャスター６１を受けるための補強部材を別途設ける必要がなく、部品点数及び組立工数を削減することがきる。
【００４１】
次にキャリ−バー７１の取付について説明する。
図７に示されるように、鞄本体２０は、引出可能なキャリーバー７１を備えている。キャリーバー７１の上側については、上壁部２５にキャリーバー７１を挿入する挿入穴２９が設けられている。挿入穴は２９、筒状に形成された筒状部２９ａを有し、この筒状部２９ａがあることで一定の面積でキャリーバー７１を支持することができる。キャリーバー７１を挿入穴２９に挿入し、さらに固定部材７２を介して締結部材７３を挿入し、この締結部材７３でキャリーバー７１を鞄本体２０に締結することができる。
【００４２】
図６、図７に示されるように、鞄本体２０は、より荷重のかかる上壁部２５と底壁部２２に補強リブ３４、３５を射出成形で一体成形されている。このため、上壁部２５と底壁部２２をより補強することができる。
【００４３】
図８に示されるように、キャリーバー７１の下端側については、底壁部２２の内側にキャリーバー７１の下端部を底壁部２２に固定するキャリーバー固定溝３１が設けられている。このように、鞄本体２０の挿入穴２９からキャリーバー７１を挿入してキャリーバー７１の下端部をキャリーバー固定溝３１に嵌め込み、締結部材７３で締結するだけで簡単に組み付けることができる。
【００４４】
次にコーナー部材１０１の取付について説明する。
図１、図７に示されるように、上壁部２５近傍の側壁部２３、２４にはコーナー部材１０１を取り付けるための取付穴３２が形成されている。コーナー部材１０１には、取付穴３２に係止する爪１０２が設けられている。コーナー部材１０１を鞄本体２０の外側から押し込むことで、爪１０２が取付穴３２に係止される。このように、コーナー部材１０１を上壁部２５近傍の側壁部２３、２４に差し込む（圧入・嵌め殺し）だけで簡単に組み付けることができる。
【００４５】
次に固定取っ手８１の取付とＴＳＡロック９１の取付について説明する。
図２、図７に示されるように、上壁部２５に固定取っ手８１を配置し、上壁部２５の内側から補強板８２を当て、締結部材８３で締結する。このように、鞄本体２０の内側から締結部材８３を挿入し、固定取っ手８１を容易に締結することができる。
【００４６】
左の側壁部２３にＴＳＡロック９１を配置し、左の側壁部２３の内側から締結部材９２で締結する。このように、鞄本体２０の内側から締結部材９２を挿入し、ＴＳＡロック９１を容易に締結することができる。
【００４７】
次に内装１１１について説明する。
図８に示されるように、鞄本体２０に収納物を保護する布製の内装１１１が設けられている。内装１１１は、中央に内装用ファスナー１１２が設けられており、内装用ファスナー１１２を開くことで鞄本体２０の裏側からメンテナンスを行うことができる。内装１１１には、表側から裏側へ延びる内装用ベルト１１３が設けられており、表側に延びた内装用ベルト１１３には開閉可能にバックル１１４が設けられている。
【００４８】
図９に示されるように、内装１１１端部の鞄本体２０への取付部分は、鞄本体２０の縁の外側にファスナー５１のテープ５３が当てられ、その上から鞄本体２０の縁ごと内装１１１で覆い、さらにその上からバイヤス１１５で覆い、このバイヤス１１５の外側から縫製されている。
【００４９】
図７、図８、図１０に示されるように、鞄本体２０の隅に締結部材１１６を締結するための締結用溝３３が設けられている。内装１１１の裏側へ延びる内装用ベルト１１３に貫通孔の開いた金具１１６を当て、金具１１６及び内装用ベルト１１３に締結部材１１７を挿通させ締結用溝３３に締結する。このように、裏側へ延びる内装用ベルト１１３が締結部材１１７で鞄本体２０に締結されるので、内装１１１を鞄本体２０の内側に容易に取り付けることができる。
【００５０】
さらに、以上に説明した鞄本体２０とすることで、各部品の取付が正確にでき、取付時の微調整が不要となる。また、鞄本体２０が一体成形された樹脂であるため、ファスナー部１５に防水ファスナーを用いることで、容易に鞄１０全体を防水することができる。さらに、前蓋４０を交換することで、鞄１０のバリエーション展開を容易に行うことができる。さらに、本考案によれば、前方に開口する箱状の鞄本体２０と、この鞄本体２０の開口を塞ぐ前蓋４０とを備えた鞄であっても、部品点数を削減するとともに組立工数を低減することができる。
【００５１】
次に鞄本体２０外観の細部について説明する。
図１１、図１２に示されるように、底壁部２２は鞄１０の前面に延出する底壁延長部２２ａを有し、左右の側壁部はそれぞれ鞄１０の前面に延出する左右の側壁延長部２３ａ、２４ａを有し、上壁部２５は鞄１０の前面に延出する上壁延長部２５ａを有し、底壁延長部２２ａ、左右の側壁延長部２３ａ、２４ａ及び上壁延長部２５ａの縁によって開口が形成されている。
【００５２】
鞄本体２０の開口をこのように構成することで、例えば、前シェル、後シェルのようにそれぞれ半分に分かれた鞄に比較して、本考案は鞄本体２０が鞄１０の前面の一部を構成するので開口の剛性をより向上させることができる。なお、実施例では、底壁延長部２２ａ、左右の側壁延長部２３ａ、２４ａ及び上壁延長部２５ａが、射出成形時におけるいわゆるアンダーカットになる。
【００５３】
次に鞄本体２０の射出成形工程について説明する。
図１３（ａ）に示されるように、金型１２０は、固定型１２１と、この固定型１２１の下方に昇降可能に設けられた突出板１２２と、この突出板１２２に設けられたスライド機構１２３と、このスライド機構１２３に揺動可能に設けられたシャフト１２４と、このシャフト１２４に設けられた傾斜型１２５と、固定型１２１に対向するとともに移動可能に設けられた可動型１２６とを備えている。
【００５４】
キャビティにゲート１２７樹脂が充填されることで鞄本体２０が成形されている。鞄本体２０は、アンダーカット部２０ａを有する。可動型１２６を矢印（１）のように上昇させる。
【００５５】
図１３（ｂ）に示されるように、鞄本体２０の上方が開放されている。突出板１２２を矢印（２）のように上昇させる。
図１３（ｃ）に示されるように、傾斜型１２５及びイジェクタピン１２８によって鞄本体２０が押し上げられ、鞄本体２０の下側は固定型１２１から離間し始める。さらに突出板１２２を矢印（３）のように上昇させる。
【００５６】
図１３（ｄ）に示されるように、スライド機構１２３が固定型１２１に当接する位置まで上昇し、鞄本体２０が固定型１２１から完全に離間する。シャフト１２４及び傾斜型１２５を矢印（４）のように移動させ、傾斜型１２５をアンダーカット部２０ａから外し、鞄本体２０を取り出す。
【００５７】
尚、実施例では、底壁延長部２２ａ、左右の側壁延長部２３ａ、２４ａ及び上壁延長部２５ａを設けたが、これに限定されず、底壁延長部２２ａ、左右の側壁延長部２３ａ、２４ａ及び上壁延長部２５ａが無い鞄本体２０であっても差し支えない。
【産業上の利用可能性】
【００５８】
本考案の鞄本体が一体成形された鞄は、旅行やビジネスに使用される鞄に好適である。
【符号の説明】
【００５９】
１０…  鞄
２０…  鞄本体
２１…  背壁部
２２…  底壁部
２２ａ…底壁延長部
２３…  左の側壁部
２３ａ…左の側壁延長部
２４…  右の側壁部
２４ａ…右の側壁延長部
２５…  上壁部
２５ａ…上壁延長部
２７…  キャスター取付機構
３１…  キャリバー固定溝
４０…  前蓋
５１…  ファスナー
６１…  キャスター
６５…  スライド嵌合部
７１…  キャリーバー
９１…  ＴＳＡロック
９２…  締結部材
１０１…コーナー部材
１０２…爪
１１１…内装
１１３…内装用ベルト
１１７…締結部材
【図１】
0003203972.tif 000003
【図２】
0003203972.tif 000004
【図３】
0003203972.tif 000005
【図４】
0003203972.tif 000006
【図５】
0003203972.tif 000007
【図６】
0003203972.tif 000008
【図７】
0003203972.tif 000009
【図８】
0003203972.tif 000010
【図９】
0003203972.tif 000011
【図１０】
0003203972.tif 000012
【図１１】
0003203972.tif 000013
【図１２】
0003203972.tif 000014
【図１３】
0003203972.tif 000015